(57)【要約】      （修正有）【課題】長期使用による、回転体の回転速度のバラツキや、回転体の振動などが発生しないバックアップ材の充填用工具を提供する。【解決手段】板状体からなる所要長さのアーム部材２の一端部に、外周縁部を弧状に折り曲げて押圧部４を形成した円盤状の一対の回転体３Ａ，３Ｂを、一対の回転体３Ａ，３Ｂ間の幅を調整するためのスペーサ７及び／又はワッシャ８を介して、ボルト５及びナット６で装着した。ボルト５及びナット６として、適用する目地巾の最大値に合わせた巾の未ねじ切り部を有する中ボルトを用い、適用する目地巾に応じてナットの数を増減可能とした。【選択図】図２
0003153776.tif 000002
【実用新案登録請求の範囲】
【請求項１】
板状体からなる所要長さのアーム部材の一端部に、外周縁部を弧状に折り曲げて押圧部を形成した円盤状の一対の回転体を、一対の回転体間の幅を調整するためのスペーサ及び／又はワッシャを介して、ボルト及びナットで装着したバックアップ材の充填用工具において、
前記ボルト及びナットとして、適用する目地巾の最大値に合わせた巾の未ねじ切り部を有する中ボルトが用い、適用する目地巾に応じてナットの数を増減して用いられること
を特徴とするバックアップ材の充填用工具。
【請求項２】
前記回転部材は、
前記アーム部材に対し、押圧部を外側にして装着されていること
を特徴とする請求項１に記載のバックアップ材の充填用工具。
【請求項３】
前記回転部材は、
前記アーム部材に対し、押圧部を内側にして装着されていること
を特徴とする請求項１に記載のバックアップ材の充填用工具。
【請求項４】
前記アーム部材は、
他端部を細長くへら状に形成したこと
を特徴とする請求項１〜３のいずれかに記載のバックアップ材の充填用工具。
【請求項５】
前記アーム部材は、
中間部に樹脂又は金属製のグリップを、接着剤又はビスで一体的に固着して把持部としたこと
を特徴とする請求項１〜４のいずれかに記載のバックアップ材の充填用工具。
【請求項６】
前記アーム部材は、
中間部にグリップを装着して把持部とするに際し、グリップとアーム部材間に補強板を介在させたこと
を特徴とする請求項１〜５のいずれかに記載のバックアップ材の充填用工具。
【請求項７】
前記補強板は、
樹脂又は金属製で、アーム部材の一面又は両面の所要部位に、接着剤又はビスで一体的に固着されていること
を特徴とする請求項６に記載のバックアップ材の充填用工具。
【考案の詳細な説明】
【技術分野】
【０００１】
この考案は、軽量発泡コンクリートパネルを外壁材として使用するに際し、軽量発泡コンクリートパネル同士の間に形成される目地間に、バックアップ材を充填するための充填用工具に関するものである。
【背景技術】
【０００２】
ビルや住宅などの建築物の外壁材として用いられている軽量発泡コンクリートパネル（ＡｕｔｏｃｌａｖｅｄＬｉｇｈｔｗｅｉｇｈｔ Ｃｏｎｃｒｅｔｅ：以下「ＡＬＣパネル」）というは、内部に無数の気泡を有し、軽量性、耐火性、断熱性など優れた特性を有するため、広い範囲で使用されている。
このＡＬＣパネルは、熱収縮や地震などの振動によるパネル相互間の影響を防止するため、取付け工事に際しては、ＡＬＣパネル間に、５ｍｍ〜２５ｍｍ程の目地を形成している。
【０００３】
このＡＬＣパネル間に形成される目地は、防水および外装材を塗布することから封止する必要がある。
そのため、目地幅とほぼ同幅の発泡スチロールなどからなる、断面が円又は矩形状の細長いバックアップ材を目地内に充填し、これを支えにしてシーリング材を塗布するもので、目地内へのバックアップ材の充填は、従来ヘラや先の細い棒を使用して行っていた。
【０００４】
しかしながら、ヘラや棒を使ったバックアップ材の目地内への充填方法は、特に断面形状が円形の場合、バックアップ材が捩れ易く、均一な深さで充填されない場合には、凹凸が生じ、表面仕上げに影響を及ぼすおそれがあるとともに、作業性が悪く、作業には一定の熟練を要するものであった。
【０００５】
そこで、目地内にバックアップ材を均一に充填でき、かつ短時間に簡単に操作ができる工具として、把持部の端部に、同心状に段差を設けて円盤状のローラを回転自在に取付けたバックアップ材充填用工具（特許文献１）が提案されている。
【０００６】
また、適宜長さの把持部と、この把持部の先端側に枢支され、前記目地の隙間よりやや小巾で、その外周に前記コーキングバックアップ材を沿わせて保持し押し込むローラ部材を設けた、コーキングバックアップ材を外壁の目地内に押し込むための押えローラ（特許文献２）が提案されている。
【０００７】
そのような状況下に、出願人は先に、板状体からなる所要長さのアーム部材と、このアーム部材の一端部に回転かつ着脱自在に装着される、外周縁部を弧状に折り曲げて押圧部を形成した円盤状の一対の回転体からなるローラ部材とから構成され、この一対の回転体を、前記アーム部材に回転かつ着脱自在に保持するボルト及びナットと、前記ボルトに軸装され、一対の回転体間の幅を調整するためのスペーサ及び／又はワッシャからなるバックアップ材の充填用工具（特許文献３）を提案した。
【先行技術文献】
【特許文献】
【０００８】
【特許文献１】実開平０４−９２９８４号公報（実用新案登録請求の範囲，図１）
【特許文献２】実用新案登録第３０１６１８０号公報（実用新案登録請求の範囲，図１）
【特許文献３】特開２００４−６８５７２号公報（特許請求の範囲，図１）
【考案の概要】
【考案が解決しようとする課題】
【０００９】
前記特許文献３に記載のバックアップ材の充填用工具は、バックアップ材を押込み充填する際に、バックアップ材が捩れ易く、均一な深さで充填されない場合には凹凸が生じて表面仕上げに影響を及ぼすおそれがあるという問題点を、円板状のロールの外周縁部を、弧状に折り曲げて押圧部を形成することにより、バックアップ材に係る力を、壁面と平行から中心方向に向けることにより解決したものである。
その結果、バックアップ材の材質や目地間隔などに起因して、凹凸が生じ、バックアップ材が持ち上がる際には、回転体間の幅を調整する円盤状スペーサの周縁部を押圧部として押さえ込み、均一な表面を形成させるなどと優れた機能を有するものである。
【００１０】
しかしながら、このバックアップ材の充填用工具を長期に使用していると、ローラ部材を構成する、ロール状の回転体の動きが不規則、すなわち、回転速度のバラツキや、回転体の振動などが発生し、上記機能を利用したバックアップ材の押し込み充填が満足にできないという状態が生じることがあり、その問題の解消を強く求められようになってきている。
【００１１】
この考案はかかる現状に鑑み、前記特許文献３が奏する効果を生かしながら、一対の回転体間の幅を調整するためのスペーサ及び／又はワッシャを介して、ボルト及びナットで装着したバックアップ材の充填用工具を構成するに際し、前記ボルト及びナットとして、適用する目地巾の最大値に合わせた巾の未ねじ切り部を有する中ボルトを用い、適用する目地巾に応じてナットの数を増減して用いることによって、前記課題を解決したものである。
【課題を解決するための手段】
【００１２】
前記目的を達成するため、請求項１に記載の考案は、
板状体からなる所要長さのアーム部材の一端部に、外周縁部を弧状に折り曲げて押圧部を形成した円盤状の一対の回転体を、一対の回転体間の幅を調整するためのスペーサ及び／又はワッシャを介して、ボルト及びナットで装着したバックアップ材の充填用工具において、
前記ボルト及びナットとして、適用する目地巾の最大値に合わせた巾の未ねじ切り部を有する中ボルトを用い、適用する目地巾に応じてナットの数を増減可能としたこと
を特徴とするバックアップ材の充填用工具である。
【００１３】
また、請求項２に記載の考案は、
請求項１に記載のバックアップ材の充填用工具において、
前記回転部材は、
前記アーム部材に対し、押圧部を外側にして装着されていること
を特徴とするものである。
【００１４】
また、請求項３に記載の考案は、
請求項１に記載のバックアップ材の充填用工具において、
前記回転部材は、
前記アーム部材に対し、押圧部を内側にして装着されていること
を特徴とするものである。
【００１５】
また、請求項４に記載の考案は、
請求項１〜３のいずれかに記載のバックアップ材の充填用工具において、
前記アーム部材は、
他端部を細長くへら状に形成したこと
を特徴とするものである。
【００１６】
また、請求項５に記載の考案は、
請求項１〜４のいずれかに記載のバックアップ材の充填用工具において、
前記アーム部材は、
中間部に樹脂又は金属製のグリップを、接着剤又はビスで一体的に固着して把持部としたこと
を特徴とするものである。
【００１７】
また、請求項６に記載の考案は、
請求項１〜５のいずれかに記載のバックアップ材の充填用工具において、
前記アーム部材は、
中間部にグリップを装着して把持部とするに際し、グリップとアーム部材間に補強板を介在させたこと
を特徴とするものである。
【００１８】
さらに、請求項７に記載の考案は、
請求項６に記載のバックアップ材の充填用工具において、
前記補強板は、
樹脂又は金属製で、アーム部材の一面又は両面の所要部位に、接着剤又はビスで一体的に固着されていること
を特徴とするものである。
【考案の効果】
【００１９】
この考案のバックアップ材の充填用工具は、アーム部材の一方の端部に、バックアップ材を目地内に充填するためのローラ部材を、回転かつ着脱自在に装着しているので、簡単かつ容易に目地部分にバックアップ材を均一に充填することができる。
【００２０】
特に、この考案の充填用工具は、アーム部材に回転かつ着脱自在に取付けるローラ部材を、一対の回転体と、この一対の回転体をアーム部材に回転かつ着脱自在に保持するボルト及びナットと、前記ボルトに軸装され、一対の回転体間の幅を調整するためのスペーサ及び／又はワッシャとで構成しているので、スペーサの取替え、あるいはスペーサと複数のワッシャとの組み合わせによって、目地の幅に最適な幅を有するローラ部材を得ることができる。
【００２１】
また、ローラ部材を構成する一対の回転体は、所要の径からなる円板の外周縁部を一方側に滑らかな弧状に折り曲げて押圧部を一体的に形成したので、弧状に形成された外周縁部を外側に向けて押圧部が互いに相対するようアーム部材に装着することによって、バックアップ材を充填する目地幅が比較的広い場合に対処させることができる。
また、弧状に形成された外周縁部を内側に向けて、押圧部が互いに相対しないようにアーム部材に装着することによって、バックアップ材を充填する目地幅が比較的狭い場合に対処させることができる。
【００２２】
その際、押圧部間又は外周縁部間に形成される溝が、バックアップ材の一部もしくは全部を係合保持することができるので、バックアップ材を捩れさせることなく、しかも波立つことなく、目地の所定の位置に確実に充填することができるとともに、ローラ部材によるＡＬＣパネルの周面の損傷を防止することができる。
【００２３】
さらに、このバックアップ材の充填用工具は、前記回転体を取り外し、スペーサ及びワッシャを適宜に組み合わせてアーム部材に取付けることによって、目地幅がきわめて小さい大理石などを外壁材として使用する場合であっても、目地内に簡単にかつ容易にバックアップ材を充填することができる。
【００２４】
また、このバックアップ材の充填用工具は、アーム部材の他端部にヘラを形成することによって、ローラ部材だけではバックアップ材を均一に充填することができない目地部分の角や端部においても、道具を変更することなく、一つの道具でバックアップ材を充填することができるので、作業能率の向上に大きく助成することができるものである。
【００２５】
さらに、ローラ部材を構成する円盤状の回転体を、アーム部材に回転かつ着脱自在に保持するボルトとして、半ねじ（中ボルト）を用い、回転体をアーム部材に回転かつ着脱自在に保持する際に、ねじ切り部分が回転体部に架からないようにしてあるため、長期に亘る使用でも、ボルトの不均一でかつ短期での消耗が生ぜず、安定な状態で使用することができるものである。
【図面の簡単な説明】
【００２６】
【図１】この考案に係るバックアップ材の充填用工具の一例を示す一部切欠き平面図である。
【図２】図１に示す充填用工具の要部の拡大断面図である。
【図３】図２に示す充填用工具の構成の一部を変更した例の要部の拡大断面図である。
【図４】充填用工具の使用状態を示す説明図である。
【図５】充填用工具の他の例における要部の拡大断面図である。
【考案を実施するための形態】
【００２７】
以下、この考案に係るバックアップ材の充填用工具の、好ましい実施の形態を添付の図面に基づいて具体的に説明するが、この実施の形態にのみ限定されるものではなく、この考案の要旨を逸脱しない範囲内において、種々変更することができるものである。
【００２８】
この考案のバックアップ材の充填用工具１は、所要の厚みを有する板状体からなる所要長さのアーム部材２と、このアーム部材２の一端部に、回転かつ着脱自在に装着される一対のローラ部材３とから構成されるものである。
【００２９】
前記のアーム部材２は、所要の長さと厚みとを有する板状体で構成されるもので、その材質については特段の制限はない。
屋外で使用することを考慮すると、錆び難い材質のもの、例えば、ステンレス又は硬質の合成樹脂であることが好ましい。
前記板状体の一方の端部側には、前記ローラ部材３を回転かつ着脱自在に保持するためのボルト挿通孔２ａが形成されると共に、他端側は細長くへら状に形成し、この端部をへら２ｂとしても使用できるように構成されている。
【００３０】
なお、このアーム部材２は、目地内に前記ローラ部材３を挿入するため、肉厚あるいは棒状のものが使用できず、可能な限り肉厚の薄い板状体で形成される。
そのため、強度が不足し、かつ操作が難しくなるおそれがあるので、図１に示すようにアーム部材２の一方の面、又は両面にアーム部材２と同幅で所要長さを有する、例えば、アルミ製の補強板９を接着剤又はビスで固着して握持部としたものである。
【００３１】
なお、前記握時部の表面全体を、合成樹脂、金属、布、皮革などからなるグリップ部材（図示せず）で覆うことが好ましい。
その際、前記グリップ部材を所望の肉厚を有する合成樹脂又は金属で形成し、前記アーム部材２の一方の面又はビスで固着することによって、グリップ部材全体でアーム部材２を補強する方がより好ましい。
【００３２】
一方のローラ部材３は、図2で明らかなように、所要の径からなる円板の外周縁部を一方側に滑らかな円弧状に折り曲げて、押圧部４を一体的に形成された、左右一対の回転体３Ａ，３Ｂからなるものである。
各回転体３Ａ，３Ｂは、その中心部にはボルト挿通孔を有するもので、前記アーム部材２にボルト５及びナット６によって、回転かつ着脱自在に保持される。
なお、前記ボルト５には、一対の回転体３Ａ，３Ｂ間の幅を調整するためのスペーサ７及び／又はワッシャ８が必要に応じて介装される。
【００３３】
なお、回転体３Ａ，３Ｂの径は、後述するバックアップ材を目地内に充填するに際し、きわめて大きな影響を与える。
したがって、一つのローラ部材３で、目地深さが、通常の６〜２０ｍｍの、いずれの深さにも対応する場合には、少なくとも回転体３Ａ、３Ｂは７０ｍｍ前後の径であることが好ましい。
その際、個々の深さに対応すべく、径の異なる複数のローラ部材をあらかじめ用意し、目地の深さに応じて適切な径のローラ部材を選択することも可能である。
【００３４】
また、図１において、符号７は、前記回転体３Ａ，３Ｂ間に軸装されるものである。
その外周縁部７ａは、回転体３Ａ，３Ｂの押圧部４の内側に位置する径とするもので、中心部にボルト挿通孔７ｂを有し、材質には特段の制限がないものの、前記回転体３Ａ，３Ｂとの回転性を考慮すると、フッ素樹脂、シリコン樹脂、ナイロン樹脂、オレフィン系樹脂などの合成樹脂材料、又はアルミニウムなどの金属材料で形成することが好ましいものである。
【００３５】
目地の幅は、通常５〜２５ｍｍと一定でないので、例えば、スペーサ７と複数のワッシャ８，８，・・・の組み合わせで対応できるようにすることが好ましい。
その際、厚さの異なる複数のスペーサを準備し、幅に合わせてスペーサを取替えるか、厚さの異なる複数のスペーサを組み合わせて所望の厚みとして対応することも可能で、特に目地幅が狭い場合には、スペーサ７を使用することなく、複数のワッシャ８の組み合わせで十分である。
【００３６】
かかる部材からなる充填用工具１は、図２に示すように、一方の押圧部４を内側にした回転体３Ａの外側に、ワッシャ８を当接させてボルト５を挿通するとともに、その先端部に所要厚みのスペーサ７を軸装させる。
ついで、ボルト５の先端部をアーム部材２のボルト挿通孔２ａに貫通せしめたのち、ボルト５に他方の押圧部４を内側にした回転体３Ｂを軸装し、互いの回転体３Ａ，３Ｂの押圧部４，４間に凹状部を形成させ、他方の回転体３Ｂから突出したボルト５にナット６を係合させることによって構成する。
【００３７】
使用するボルト５は、ねじ切り部５ｂが回転体に架からないように、非ねじ切り部５ａの長さが調整された半ねじ（中ボルト）を用いるもので、ナット６との係合により、回転体３Ａ，３Ｂ間にスペーサ７を挟持し、かつ回転自在に保持するものである。
【００３８】
図３に示される充填用工具１は、目地幅が狭い場合に使用するものである。
したがって、スペーサ７を使用することなく、押圧部４，４を内側にした回転体３Ａ，３Ｂをボルト５に軸装したもので、ボルト５とナット６の係合により、回転体３Ａ，３Ｂを回転自在に保持するために、ワッシャ８の数を、４枚から８枚に増加させて構成したものである。
【００３９】
かくして得られた充填用工具１は、図４に示すように、外壁１１にＡＬＣパネル１２，１２間に形成される目地１３にバックアップ材１４を充填するために使用される。
その使用法は、まず、目地１３の開口部にバックアップ材１４を当接し、このバックアップ材１４を回転体３Ａ，３Ｂの押圧部４，４間で係合保持しながら、充填用工具１を目地１３の底部方向に押圧する。
しかるのち、目地１３に沿ってローラ部材３を上方又は下方に回転させれば、バックアップ材１４を捩れさすとこなく、かつ波打たせることなく、目地１３の所定の位置に確実に充填することができるものである。
【００４０】
一方、目地幅が特に狭い場合には、図５に示すように、各回転体３Ａ，３Ｂの押圧部４，４を互いに相対するよう、すなわち、弧状の押圧部４，４が互いに外側に向くようにして配置し、かかる状態を保持しながらボルト５を使用してアーム部材２に回転自在に装着して充填用工具１を構成し、近接する押圧部４、４の先端部を使用して目地内にバックアップ材を充填するものである。
【００４１】
この考案の充填用工具１は、上記のごとく構成されたもので、目地幅に応じて、回転体３Ａ，３Ｂを取り外し、所要厚みのスペーサ７及びワッシャ８を適宜に組み合わせ、前記アーム部材２にボルト５とナット６で取付けるようにするものである。
その際、必要に応じて、回転体３Ａ，３Ｂの外側に位置するワッシャ８の数を増減させて、ボルト５のねじ切り部５ｂに回転体が架からないように、かつ、確実に保持するようにするものである。
【産業上の利用可能性】
【００４２】
この考案のバックアップ材の充填用工具は、バックアップ材を押し込み充填する機能に優れ、かつ長期の使用に耐えるものであるから、建設業界で広く利用される可能性の高いものである。
【符号の説明】
【００４３】
１            バックアップ材の充填用工具
２            アーム部材
２ａ          アーム部材のボルト挿通孔
３            ローラ部材
３Ａ，３Ｂ    回転体
４            押圧部
５            ボルト
５ａ          ボルトの非ねじ切り部
５ｂ          ボルトのねじ切り部
６            ナット
７            スペーサ
７ｂ          スペーサのボルト挿通孔
８            ワッシャ
【図１】
0003153776.tif 000003
【図２】
0003153776.tif 000004
【図３】
0003153776.tif 000005
【図４】
0003153776.tif 000006
【図５】
0003153776.tif 000007